(57)【要約】【課題】端末が使用される場所に関わらず安全に画像情報を共有することができる携帯情報端末装置を得る。【解決手段】情報端末装置を認証情報取得手段６１と、記憶手段６２と、通信手段６３と、表示手段６４とで構成する。認証情報取得手段６１は生体認証に用いる認証情報を取得する。記憶手段６２は認証情報を記憶する。通信手段６３は記憶手段６２に記憶された認証情報を通信網へ送信し、通信網から画像情報を受信する。表示手段６４は画像情報を表示する。また、記憶手段６２は通信手段６３により認証情報が送信された場合に、認証情報を消去する。本発明の情報端末装置ではユーザー認証に生体認証方式を用い、その認証用の認証情報のデータを認証の情報端末装置から消去している。情報端末装置に認証情報を残さないため他人の使用を防止することができ、画像情報の漏えい等に対する安全性が向上している。【選択図】      図９
2014059753.tif 000002
【特許請求の範囲】
【請求項１】
生体認証に用いる認証情報を取得する認証情報取得手段と、
前記認証情報を記憶する記憶手段と、
前記記憶手段に記憶された前記認証情報を通信網へ送信し、通信網から画像情報を受信する通信手段と、
前記画像情報を表示する表示手段とを備え、
前記記憶手段は前記通信手段により前記認証情報が送信された場合に、前記認証情報を消去することを特徴とする情報端末装置。
【請求項２】
前記記憶手段は前記画像情報を記憶する手段をさらに有し、
前記記憶手段は前記表示部に前記画像情報を表示した場合に、前記画像情報を消去することを特徴とする請求項１に記載の情報端末装置。
【請求項３】
他の情報端末装置から前記他の情報端末装置のユーザーの生体認証に用いる認証情報を受信する通信手段と、
前記ユーザーの生体認証に用いる前記ユーザーの識別情報を記憶する記憶手段と、
前記認証情報と前記識別情報とを比較して前記ユーザーとの通信可否の判断を行う認証手段と、
所定の画像を前記ユーザーの情報端末装置用の画像として変換し変換画像を生成する画像変換手段とを備え、
前記通信手段は、前記認証手段で前記ユーザーとの通信が可と判断された場合に、前記ユーザーの情報端末装置に前記変換画像を画像情報として送信することを特徴とする情報端末装置。
【請求項４】
前記通信手段は前記ユーザー以外の情報端末装置から前記所定の画像を受信する手段をさらに有し、
前記通信手段により受信された前記所定の画像が前記画像変換手段により変換されて前記変換画像が生成されることを特徴とする請求項３に記載の情報端末装置。
【請求項５】
前記通信手段で受信する前記ユーザーの前記認証情報を基に、前記所定の画像の補正方法を判断する補正判断手段をさらに備え、
前記画像変換手段は前記所定の画像を前記ユーザーの情報端末装置用の画像として変換する際に、前記変換とともに前記補正方法に基づいた前記所定の画像の補正を行い変換画像を生成することを特徴とする請求項３または４いずれかに記載の情報端末装置。
【請求項６】
請求項１または２いずれかに記載の情報端末装置を備えた端末装置と、
請求項３から５いずれかに記載の情報端末装置を備えた情報供給装置とを備え、
通信網を介して、前記端末装置から前記情報供給装置へ前記認証情報が提供され、
前記情報供給装置から前記端末装置へ前記画像情報が提供されることを特徴とする画面情報共有システム。
【請求項７】
情報端末装置が前記情報端末装置のユーザーの生体認証に用いる認証情報を取得し、
前記認証情報を記憶し、
前記認証情報を通信網へ送信し、
前記認証情報を送信した後に前記情報端末装置に記憶している前記認証情報を消去し、
通信網から画像情報を受信し、
前記画像情報を表示することを特徴とする画面情報の共有方法。
【請求項８】
他の情報端末装置から前記他の情報端末装置のユーザーの生体認証に用いる認証情報を受信し、
前記認証情報とあらかじめ記憶された識別情報とを比較して前記ユーザーとの通信可否を判断し、
前記ユーザーとの通信が可と判断した場合に、所定の画像を前記ユーザーの情報端末装置用の画像として変換して変換画像を生成し、
前記ユーザーの情報端末装置に前記変換画像を画像情報として送信することを特徴とする画面情報の共有方法。
【請求項９】
第１の情報端末装置において生体認証に用いる認証情報を取得し、
前記第１の情報端末装置は第２の情報端末装置へと前記認証情報を送信し、前記第１の情報端末装置は送信後に前記認証情報を消去し、
前記第２の情報端末装置は前記認証情報を受信し、
前記情報装置は前記認証情報とあらかじめ記憶された前記第１の情報端末装置のユーザーの生体認証に用いる識別情報とを比較して前記ユーザーとの通信可否を判断し、
前記第２の情報端末装置は前記第１の情報端末装置のユーザーと通信可能と判断した場合に、所定の画像を前記第１の情報端末装置用の画像として変換して変換画像を生成し、
前記第２の情報端末装置は前記第１の情報端末装置に前記変換画像を画像情報として送信し、
前記第１の情報端末装置は前記画像情報を受信して表示すること特徴とする画面情報の共有方法。
【請求項１０】
前記所定の画像を前記第１の情報端末装置以外の情報端末装置から受信することを特徴とする請求項９に記載の画面情報の共有方法。
【発明の詳細な説明】
【技術分野】
【０００１】
本発明は、画面情報の共有に関する技術であり、特に情報端末装置で安全に画面情報を共有する技術に関するものである。
【背景技術】
【０００２】
情報システムや工場など常時安定して稼働していることが要求される分野では、障害等が発生した際に迅速な対応が要求される。しかし、障害等が発生した際に、対処すべき対象に精通した人が常に近くにいるとは限らず、遠隔地等にいる人と情報を共有して対応できる体制が構築されていることが望ましい。そのような際の情報の共有方法の１つとしては、持ち運びが可能な情報端末装置と通信網を用いて、情報システムや工場に設置された情報装置と情報端末装置とで画面情報等を共有する方法がある。離れた場所にいる人たちの間で情報装置の画面情報を共有する方法としては、例えば特許文献１のような技術が開示されている。
【０００３】
特許文献１はプラントの監視制御装置とそれとは離れた場所に置かれた装置とで操作方法等に関する画面情報を共有する技術が開示されている。特許文献１の技術では、プラントを監視する監視制御装置から離れた場所にあるシミュレータ装置へとプラントの状況等が送られる。シミュレータ装置では監視制御装置と同様の操作を検証することができ、プラントでの状況に対応した操作方法等の検証が行われる。シミュレータ装置で検証された操作手順に関する情報は、その操作手順で操作した際の画面をキャプチャリングした画像ファイルとして監視制御装置へと送られる。監視制御装置の操作者は送られてきた操作手順を示す画像ファイルを見ながら、監視制御装置の操作を実施することができるとしている。
【０００４】
また、特許文献２では離れた場所で画面情報の共有を行う際に、相手側の情報端末装置の表示装置の特性に合わせた画面を送って情報を共有する技術について開示されている。特許文献２は複数の地点で情報端末装置を用いて行う会議システムに関する技術である。特許文献２では、会議システムの１つの情報端末装置から他の地点の情報端末装置へデータを送る際に、受信側の情報端末装置のディスプレイの解像度等に合わせて画像を変換してから送信される。受信側の情報端末装置のディスプレイの解像度等にあらかじめ変換することにより、必要以上に高い解像度のデータを送信することを避けることができる。その結果、通信にかかる時間を短くし受信側での画面表示の速度を向上させることができるとしている。
【先行技術文献】
【特許文献】
【０００５】
【特許文献１】特開２００６−３５０６８１号公報
【特許文献２】特開２００２−３２５２３９号公報
【発明の概要】
【発明が解決しようとする課題】
【０００６】
しかしながら、特許文献１に開示された技術には次のような課題がある。特許文献１の技術はプラントの監視システムであり、同一企業内等の管理された環境で固定的に設置された装置間での情報の共有に関する技術である。情報を共有する装置を不特定の場所に持ち運んで情報の共有を行うには、他人による装置の使用等を防止するための高い水準での安全対策が必要である。しかし、特許文献１にはそのような用途に関する技術は開示されていない。また、特許文献２の会議システムも会議室等に設置された端末装置を使用することを想定した技術であり、他人による装置の利用を防止するための十分な安全対策は開示されていない。
【０００７】
本発明では、端末が使用される場所に関わらず安全に情報を共有することができる携帯情報端末装置を得ることを目的としている。
【課題を解決するための手段】
【０００８】
上記の課題を解決するため、本発明の情報端末装置は、認証情報取得手段と、記憶手段と、通信手段と、表示手段とを備えている。認証情報取得手段は生体認証に用いる認証情報を取得する。記憶手段は認証情報を記憶する。通信手段は記憶手段に記憶された認証情報を通信網へ送信し、通信網から画像情報を受信する。表示手段は画像情報を表示する。また、記憶手段は通信手段により認証情報が送信された場合に、認証情報を消去する。
【発明の効果】
【０００９】
本発明の情報端末装置においては、ユーザー認証に生体認証方式を用い、その認証用の認証情報のデータを認証のために他の装置へと送信した後に情報端末装置から消去している。情報端末装置に認証用の認証情報を残さないため他人の使用を防止することができ、画像情報の漏えい等に対する安全性が向上している。
【図面の簡単な説明】
【００１０】
【図１】本発明の第１の実施形態の構成の概要を示す図である。
【図２】本発明の第１の実施形態におけるフローの概要を示す図である。
【図３】本発明の第１の実施形態におけるフローの概要を示す図である。
【図４】本発明の第２の実施形態の構成の概要を示す図である。
【図５】本発明の第２の実施形態におけるフローの概要を示す図である。
【図６】本発明の第２の実施形態におけるフローの概要を示す図である。
【図７】本発明の第３の実施形態の構成の概要を示す図である。
【図８】本発明の第３の実施形態におけるフローの概要を示す図である。
【図９】本発明の第４の実施形態の構成の概要を示す図である。
【発明を実施するための形態】
【００１１】
本発明の第１の実施形態について図１を参照して詳細に説明する。図１は本実施形態の画面情報共有システムの構成の概要を示したものである。本実施形態の画面情報共有システムは、第１の情報端末装置１０と、サーバー２０と、第２の情報端末装置３０とを備えている。また、第１の情報端末装置１０および第２の情報端末装置３０は通信網２００を介してサーバー２０と情報の送受信を行う。
【００１２】
第１の情報端末装置１０は制御部１１と、通信部１２と、記憶部１３と、一時記憶部１４と、操作部１５と、表示部１６と、撮影部１７とを備えている。サーバー２０は制御部２１と、通信部２２と、記憶部２３と、画像処理部２４と、認証部２５とを備えている。第２の情報端末装置３０は制御部３１と、通信部３２と、記憶部３３と、操作部３４と、表示部３５とを備えている。
【００１３】
第１の情報端末装置１０の制御部１１は第１の情報端末装置１０を構成する各部位へ指示を送り制御する機能や各部位からの情報を処理する機能を有する。通信部１２は通信網２００を介してサーバー２０との通信を行う機能を有する。通信網２００としては、例えば、ＬＴＥ（Long Term Evolution）規格などに基づいた無線通信回線を用いることができる。また、通信網２００は無線通信とインターネットや専用の有線回線などとの組み合わせにより構成されていることもある。記憶部１３は制御部１１が各部位を制御する際に用いるプログラムや各部位からの情報を処理する際に用いるプログラムが保存されている。一時記憶部１４は撮影部１７で取得した撮影データや通信部１２で受信した画像データなどを保存する機能を有する。操作部１５はユーザーによる情報入力や選択の操作を電気信号に変換し制御部１１へとその信号を送る機能を有する。操作部１５の一部の機能はタッチパネル方式を用いることにより、表示部１６での画面表示と組み合わせて設けられることがある。表示部１６は液晶ディスプレイや有機ＥＬ（Electro Luminescence）ディスプレイなどと表示を制御する部品により構成され、各情報の表示を行う機能を有する。
【００１４】
サーバー２０の制御部２１はサーバー２０の各部位および画面情報共有システムの全体の管理を行う機能を有する。通信部２２は通信網２００を介して第１の情報端末装置１０および第２の情報端末装置３０との情報の送受信を行う機能を有する。記憶部２３はユーザー情報のデータベースの機能を有している。本実施形態においてはユーザー情報としてユーザーのＩＤとユーザーの認証用の識別情報として顔写真データが保存されている。記憶部２３のデータベースには、ユーザーが用いる情報端末装置の情報とその情報端末装置のディスプレイの解像度等の情報が紐づけられて保存されていることがある。また、記憶部２３はサーバー２０の制御用や画面情報共用システム全体の管理用のプログラムが保存されている。画像処理部２４は第２の情報端末装置３０から送られてきた画像を第１の情報端末装置１０の表示部１６に適した画像に変換する機能を有する。
【００１５】
画像の変換は例えば次のように行われる。第１の情報端末装置１０の表示部１６にＷＶＧＡ（Wide Video Graphics Array）仕様のディスプレイが用いられたとする。また、第２の情報端末装置３０の表示部３５にＱＸＧＡ（Ultra eXtended Graphics Array)仕様のディスプレイが用いられていたとする。ＷＸＧＡ仕様のディスプレイは水平方向が８００画素、垂直方向が４８０画素で構成されている。また、ＱＸＧＡ仕様のディスプレイは、水平方向が２０４８画素、垂直方向が１５３６画素で構成されている。このとき、第２の情報端末装置３０からＱＸＧＡ仕様の画素数に相当する画像が送られてきたとき、第１の情報端末装置１０では表示できない。そのため、第１の情報端末装置１０で表示できる画素数への画素数の削減が行われる。また、水平方向および垂直方向の画素数の組み合わせを解像度とよぶこととする。画素数の削減は、例えば、バイキュービック法などの画像補完法で周囲の画素の平均的な画素情報を算出し、所定の画素数ごとに置き換えることによって行うことができる。画素情報とは輝度や色度に関する情報で、ディスプレイの表示規格等で定められているものを用いることができる。本実施形態において、第１の情報端末装置１０の表示部１６のディスプレイの解像度の情報は、ユーザー認証が行われる際に認証用の認証情報とともにサーバー２０へ通知される。サーバー２０の画像処理部２４は、第１の情報端末装置１０から通知されるディスプレイの解像度に合わせて画像の変換を実施する。また、画像の変換は表示部１６の画面全体の画素数を基準とする場合だけでなく、単位面積あたりの画素数を基準として行われてもよい。
【００１６】
サーバー２０の認証部２５は第１の情報端末装置１０や第２の情報端末装置３０を使用しているユーザーの認証を行い、サーバー２０へのアクセスの可否の判断およびアクセスに関する管理を行う。本実施形態において第１の情報端末装置１０からのアクセスに対するユーザーの認証は顔認証方式で行うとする。認証部２５は記憶部２３に保存されているデータベース上のユーザーの識別情報である顔写真データと、第１の情報端末装置１０から認証情報として送らてくる顔の撮影データを照合し、ユーザー認証を実施する。第２の情報端末装置３０の認証はＩＤとパスワードを用いた認証とする。ＩＤとパスワードでの認証用のデータもサーバー２０の記憶部２３のデータベースにあらかじめ保存されているものとする。
【００１７】
第２の情報端末装置３０の制御部３１は、第２の情報端末装置３０の各部位へ指示を送り制御する機能や各部位からの情報を処理する機能を有する。通信部３２は通信網２００を介してサーバー２０と通信を行う機能を有する。記憶部３３は制御部３１が各部位を制御する際や各部位からの情報を処理する際に用いるプログラムを記憶する機能を有する。また、記憶部３３は画像データ等の記憶にも用いられる。操作部３４はキーボードやマウス等の入力装置で構成され、ユーザーの操作を電気信号に変換し制御部３１へと送信する機能を有する。また、表示部３５上にタッチパネルを設置し、操作部３４の機能の一部が表示部３５の画面表示と組み合わされていることもある。表示部３５は液晶ディスプレイや有機ＥＬディスプレイなどが用いられ、各情報の表示を行う機能を有する。
【００１８】
本実施形態の画面情報共有システムで第２の情報端末装置３０の画面を第１の情報端末装置１０で表示し、画面情報の共有を行う際の動作について図２および図３を用いて説明する。図２および図３は画面情報の共有を行う際のフローの概要を示したものである。
【００１９】
本実施形態では第２の情報端末装置３０は関係者以外が立ち入れない場所などに設置され安全にネットワークに接続され、サーバー２０へのアクセスについて認証状態にあるとして説明する。
【００２０】
第２の情報端末装置３０からサーバー２０を介して第１の情報端末装置１０への接続の要求や、ユーザーの操作により第１の情報端末装置１０に対しサーバー２０への接続の要求があったとする。第１の情報端末装置１０に対しサーバー２０への接続の要求があると、制御部１１はユーザー認証が必要であることを検知する。
【００２１】
第１の情報端末装置１０の制御部１１はユーザー認証が必要であることを検知すると、表示部１６にユーザー認証の要求を表示する（ステップ１０１）。ユーザー認証の要求の通知は表示部１６への認証の要求の表示だけでなく、音や振動を合わせて用いることにより行われることがある。音や振動でもユーザー認証の要求の通知が行われる場合は、第１の情報端末装置にスピーカーや振動を発生させるための振動モーターが備えられている。
【００２２】
ユーザーが第１の情報端末装置１０の撮影部１７で認証情報としてユーザーの顔写真の撮影を行うと、撮影部１７は一時記憶部１４へと顔写真の撮影データを送る（ステップ１０２）。一時記憶部１４は撮影データを受信すると撮影データを保存する（ステップ１０３）。一時記憶部１４に撮影データが保存されると、第１の情報端末装置１０の制御部１１は通信部１２に対してサーバー２０へと撮影データを送信する指示を送る。通信部１２は制御部１１から撮影データを送信する指示を受けると、一時記憶部１４に保存されている撮影データを通信網を介してサーバー２０へ送信する（ステップ１０４）。撮影データのサーバー２０への送信が終わると、制御部１１は一時記憶部１４に保存している撮影データを消去する指示を送る。一時記憶部１４は制御部１１から撮影データを消去する指示を受けると、撮影データの消去を行う（ステップ１０５）。
【００２３】
サーバー２０の通信部２２は第１の情報端末装置１０から認証情報として撮影データを受信すると、撮影データを記憶部２３へと送る（ステップ１０６）。記憶部２３は撮影データを受信すると、その撮影データを保存する。記憶部２３で送られてきた撮影データが保存されると、制御部２１は送られてきた認証情報である撮影データとあらかじめ記憶部２３に保存されているユーザーの識別情報である顔写真データを比較する（ステップ１０７）。制御部２１は識別情報の顔写真データと認証情報の撮影データが一致すると判断した場合には、その撮影データのユーザーによるサーバー２０への接続を可能と判断する。制御部２１は識別情報の顔写真データと送られてきた認証情報の撮影データとを比較して一致しない場合は、その撮影データのユーザーは接続不可と判断する。制御部２１は接続の可否を判断すると、通信部２２へと接続可否の情報を第１の情報端末装置１０および第２の情報端末装３０へと送信する指示を送る（ステップ１０８）。通信部２２は接続可否の情報を送信する指示を受けると、第１の情報端末装置１０および第２の情報端末装置３０へと接続可否の情報を送信する。
【００２４】
第１の情報端末装置１０の通信部１２はユーザー認証の結果である接続可否の情報を受信すると、その情報を制御部１１へと送る（ステップ１０９）。サーバー２０から接続可との情報を受けた場合は（ステップ１１０でＹｅｓ）、制御部１１はサーバー２０から画面情報等を受信するまで第1の情報端末装置１０を待機状態とする（ステップ１１１）。
【００２５】
サーバー２０から接続不可との情報を受けた場合（ステップ１１０でＮｏ）、制御部１１は表示部１６にユーザー認証の要求を表示する指示を送り、ステップ１０１からの動作を繰り返す。ステップ１０１からの動作の繰り返しは所定の回数以内とし、その回数を超えた場合は認証動作を終了する設定とすることもできる。また、ステップ１０１のユーザー認証の要求が接続不可となった後の２回目以降の実施である場合に、ユーザーに対してユーザー認証を繰り返し試みるか選択させる形とすることもできる。
【００２６】
第２の情報端末装置３０の通信部３２は、第１の情報端末装置１０のサーバー２０への接続可否を示すユーザー認証の結果をサーバー２０から受けると、通信部３２はその情報を制御部３１へと送る（ステップ１１２）。ユーザー認証の結果が接続可であった場合（ステップ１１３でＹｅｓ）、制御部３１は表示部３５に第１の情報端末装置１０との接続が可能である旨を表示する。ユーザー認証の結果が表示部３５に表示されると、第２の情報端末装置３０は画面情報の共有を開始する段階へと移る（ステップ１１５）。ユーザー認証の結果が接続不可であった場合（ステップ１１３でＮｏ）、制御部３１は表示部３５に接続不可の旨を表示する。接続不可の旨の表示を表示部３５に表示すると、第２の情報端末装置３０はサーバー２０またはユーザーから次の情報または指示を受けるまで待機する（ステップ１１４）。
【００２７】
第２の情報端末装置３０が画面情報の共有を開始する段階へと移ると（ステップ１１５）、第２の情報端末装置３０のユーザーは、第１の情報端末装置１０へと送る画像を選択する（ステップ１１６）。画像の選択は、表示部３５に表示されている画面の全部または一部を選択することにより行うことができる。また、画面の選択は特定のプログラムに関するウインドウなどを単位として選択が行われる形としてもよい。ユーザーの選択により第１の情報端末装置１０へと送る画像は、例えば、選択した際に表示部３５に表示されている画像のみが送られる設定とすることができる。また、第１の情報端末装置１０へと送る画像は、ユーザーによる選択が行われたときからユーザーによる停止の操作が行われるときまでに表示部３５に表示される画像とすることもできる。あるいは、第１の情報端末装置１０へと送る画像は、ユーザーによる選択の操作から所定の時間が経過するまでに表示部３５に表示される画像を送られる画像とすることもできる。停止の操作まであるいは所定の時間が経過するまでの場合は、その間に所定の時間ごとに表示部３５に表示されている画像が送信される設定とすることができる。所定の時間間隔は送信するデータの内容等によって設定される。例えば、動画などの場合はミリ秒単位で送られ、表示内容が頻繁には変わらないテキストデータ等では数秒単位などとして設定することができる。
【００２８】
第２の情報端末装置３０の制御部３１はユーザーによって選択された画像を通信部３２からサーバー２０へと送信する（ステップ１１７）。停止の操作まであるいは所定の時間が経過するまでの画像を送信する設定などの場合は、その設定に基づいて通信部３２からの送信が繰り返される。
【００２９】
サーバー２０の通信部２２は第２情報端末装置３０からの画像データを受信すると、通信部２２は記憶部２３に受信した画像データを送る（ステップ１１８）。記憶部２３は画像データを受信すると、受信したその画像データを保存する。記憶部２３に画像データが保存されると、制御部２１は画像処理部２４に記憶部２３に保存された第２の情報端末装置３０から画像を所定の解像度の画像に変換する指示を送る。所定の解像度は第１の情報端末装置１０の表示部１６の解像度に応じて設定される。画像処理部２４は記憶部２３に保存された第２の情報端末装置３０からの画像を所定の解像度の画像に変換する（ステップ１１９）。
【００３０】
画像処理部２４は所定の解像度の画像への変換が終わると、変換が終わった画像を記憶部２３へと保存する。画像処理部２４により変換が終わった画像の記憶部２３への保存が終わると、制御部２１は通信部２２に変換が終わった画像を第１の情報端末装置１０へと送る指示を送る。通信部２２は制御部２１から変換が終わった画像の送信指示を受けると、変換が終わって記憶部２３に保存されている画像を第１の情報端末装置１０へと送信する（ステップ１２０）。サーバー２０での画像の変換と第１の情報端末装置１０への送信は、第２の情報端末装置３０から受信し記憶部２３に保存されている画像で変換と送信が行われていない画像がなくなるまで行われる。
【００３１】
第１の情報端末装置１０は、通信部１１においてサーバー２０により解像度の変換が行われた第２の情報端末装置３０の画像データを受信する（ステップ１２１）。通信部１２は画像データを受信すると、一時記憶部１４に画像データを送る。一時記憶部１４は画像データを受信すると、受信したデータを保存する（ステップ１２２）。一時記憶部１４に受信した画像データが保存されると、制御部１１は表示部１６に一時記憶部１４が保存している画像データを表示する指示を送る。表示部１６は制御部１１から画像データを表示する指示を受けると、一時記憶部１４に保存されている画像データを表示部１６に表示する（ステップ１２３）。サーバー２０から複数のデータが送られてきている場合には、送られてきた順に画像データを表示する設定とすることができる。また、一時記憶部１４は、表示部１６に画像データを送信すると、表示部１６へ送信した画像データを消去する（ステップ１２４）。画像データが一時記憶部１４に保存されている状態で、表示部１６からの画像データの要求が無い状態が所定の時間続いた場合に、保存している画像データが消去される設定とされていることもある。
【００３２】
第１の情報端末装置１０のユーザーがサーバー２０に認証された状態は第１の情報端末装置１０または第２の情報端末装置３０のユーザーが接続の完了を選択することにより、解除される設定とすることができる。また、サーバー２０で認証されてから一定時間を経過した場合は再度、ユーザーの認証が行われる設定としてもよい。第２の情報端末装置３０から一定時間、画像が送信されなかった場合や、操作が行われなかった場合に認証されている状態が解除される設定とすることもできる。また、第１の情報端末装置１０が一定時間、操作されなかったときに認証されている状態を解除する設定とすることもできる。一定時間の経過後等にユーザーの認証状態を解除する設定とすることにより、セキュリティを高めることができる。
【００３３】
本実施形態において第１の情報端末装置１０のユーザー認証には撮影部１７を備えることにより顔認証方式を用いたが、他の読み取り装置を備えて指紋認証など他の生体認証方式を用いてもよい。他の生体認証方式を用いる場合にも、認証用の認証情報はサーバー２０への送信後に消去される設定とする。また、顔写真認証等の生体認証のアクセスの前段階としてＩＤとパスワードによる認証段階を設けてもよい。顔写真認証等の前にパスワードによる認証を用いることにより、セキュリティの水準が向上する。パスワードによる認証にはワンタイムパスワードを用いる方式とすることもできる。
【００３４】
本実施形態において第２の情報端末装置３０のユーザー認証にはＩＤとパスワードによる認証方式を用いたが、ユーザー認証に生体認証方式やＩＣカード等を用いた認証方式を用いてもよい。また、生体認証方式やＩＣカード等を用いた認証方式とパスワードを用いた認証方式とを組み合わせて用いることもできる。
【００３５】
本実施形態の第１の情報端末装置１０としては、例えば、携帯電話、スマートフォン、タブレット型情報端末装置などの携帯型の情報端末装置を用いることができる。また、通信網２００の一部に無線ＬＡＮ（Local Area Network）等の無線通信と有線回線の組み合わせによる通信回線を用いる構成としてもよい。
【００３６】
本実施形態の画面情報共有システムでは、生体認証である顔写真認証を用い、その認証用の認証情報およびサーバーから受信する画像データを情報端末装置に一時保存して使用した後に消去している。よって、情報端末装置に各情報を残さないため他人の使用や画面情報の閲覧を防止することができ、情報の漏えい等に対する安全性が高い。また、情報端末装置に合わせたデータに変換して送ることにより画像の閲覧性が高くなり情報共有の利便性が向上している。よって、本実施形態の画像情報共有システムでは安全性と利便性の両立が可能となっている。
【００３７】
本発明の第２の実施形態について図４を参照して詳細に説明する。図４は本発明の第２の実施形態の画面情報共有システムの構成の概要を示したものである。第１の実施形態ではサーバーにおいてユーザーの認証や画像の変換を行っていたが、本実施形態では第２の情報端末装置がユーザーの認証や画像の変換を行う。
【００３８】
本実施形態の画面情報共有システムは、単数または複数台の第１の情報端末装置１０と、第２の情報端末装置と４０とを備えている。図４には第１の情報端末装置１０が２台である場合を例として示した。第１の情報端末装置１０と第２の情報端末装置４０は通信網２００を介して情報の送受信を行う。
【００３９】
第１の情報端末装置１０には第１の実施形態の同名称の装置と同様の構成および機能を有するものを用いる。
【００４０】
第２の情報端末装置４０は制御部４１と、通信部４２と、記憶部４３と、画像処理部４４と、認証部４５と、操作部４６と、表示部４７とを備えている。
【００４１】
第２の情報端末装置４０の制御部４１は第２の情報端末装置４０の各部位および画面情報共有システムの全体の管理を行う機能を有する。通信部４２は通信網２００を介して第１の情報端末装置１０との情報の送受信を行う機能を有する。記憶部４３はユーザー情報のデータベースの機能を有している。ユーザー情報として、ユーザーのＩＤと認証用の識別情報として顔写真データが保存されている。記憶部４３のデータベースには、ユーザーが用いる情報端末装置の情報とその情報端末装置のディスプレイの解像度等の情報が紐づけられて保存されていることがある。また、記憶部４３には第２の情報端末装置４０の制御用や画面情報共用システム全体の管理用のプログラムが保存されている。画像処理部４４は第１の情報端末装置１０へと送る画像を第１の情報端末装置１０の表示部１６に適した画像に変換する機能を有する。画像の変換は第１の実施形態と同様に行われる。第１の情報端末装置１０の表示部１６のディスプレイの解像度は、ユーザー認証が行われる際に第２の情報端末装置４０へ通知されるものとする。第２の情報端末装置４０の画像処理部４４は、第１の情報端末装置１０から通知されるディスプレイの解像度に合わせて画像の変換を実施する。
【００４２】
第２の情報端末装置４０の認証部４５は第１の情報端末装置１０のユーザーの認証を行い、第２の情報端末装置４０へのアクセスの可否の判断およびアクセスに関する管理を行う。本実施形態において、第１の情報端末装置１０からのアクセスに対するユーザーの認証は顔認証方式で行うとする。認証部４５は記憶部４３に保存されているユーザーの認証用の識別情報である顔写真データと、第１の情報端末装置１０から送らてくる認証情報としての顔の撮影データを照合してユーザー認証を実施する。第２の情報端末装置４０へのユーザーのログインの認証はＩＤとパスワードを用いた認証とする。ＩＤとパスワードでの認証用のデータは第２の情報端末装置４０の記憶部４３のデータベースにあらかじめ保存されているものとする。
【００４３】
本実施形態の画面情報共有システムで第２の情報端末装置４０の画面を第１の情報端末装置１０で表示し、画面情報の共有を行う際の動作について図５および図６を用いて説明する。図５および図６は画面情報の共有を行う際のフローの概要を示したものである。
【００４４】
第２の情報端末装置４０から第１の情報端末装置１０への接続の要求や、ユーザーの操作により第１の情報端末装置１０に対し第２の情報端末装置４０への接続が要求されたとする。第１の情報端末装置１０に対し第２の情報端末装置４０への接続が要求されると、第１の情報端末装置１０の制御部１１はユーザー認証が必要であることを検知する。
【００４５】
第１の情報端末装置１０の制御部１１はユーザー認証が必要であることを検知すると、表示部１６にユーザー認証の要求を表示する（ステップ１３１）。ユーザー認証の要求の通知は表示部１６への認証の要求の表示だけでなく、音や振動を合わせて用いることにより行われることがある。ユーザーが第１の情報端末装置１０の撮影部１７でユーザーの顔写真の撮影を行うと、撮影部１７は一時記憶部１４へと顔写真の撮影データを送る（ステップ１３２）。一時記憶部１４は撮影データを受信すると撮影データを保存する（ステップ１３３）。一時記憶部１４に撮影データが保存されると、第１の情報端末装置１０の制御部１１は通信部１２に対して第２の情報端末装置４０へと認証情報としての撮影データを送信する指示を送る。通信部１２は制御部１１から撮影データを送信する指示を受けると、一時記憶部１４に保存されている撮影データを通信網２００を介して第２の情報端末装置４０へ送信する（ステップ１３４）。撮影データの第２の情報端末装置４０への送信が終わると、制御部１１は一時記憶部１４に保存している撮影データを消去する指示を送る。一時記憶部１４は制御部１１から撮影データを消去する指示を受けると、撮影データの消去を行う（ステップ１３５）。
【００４６】
第２の情報端末装置４０の通信部４２は第１の情報端末装置１０から認証情報としての顔の撮影データを受信すると、撮影データを記憶部４３へと送る（ステップ１３６）。記憶部４３は撮影データを受信すると、その撮影データを保存する。記憶部４３で送られてきた撮影データが保存されると、制御部４１は送られてきた認証情報としての撮影データとあらかじめ記憶部４３に保存されている識別情報としての顔写真データとを比較する（ステップ１３７）。制御部４１は識別情報としての顔写真データと認証情報としての撮影データが一致すると判断した場合には、その撮影データを送信元である第１の情報端末装置１０からの第２の情報端末装置４０への接続を可能と判断する。制御部４１は顔写真データベースと送られてきた撮影データとを比較して一致しない場合は、その認証情報としての撮影データの送信元の第１の情報端末装置１０からの接続は不可と判断する。制御部４１は接続の可否を判断すると、通信部４２へと接続可否の情報を第１の情報端末装置１０および第２の情報端末装４０へと送信する指示を送る（ステップ１３８）。通信部４２は接続可否の情報を送信する指示を受けると、第１の情報端末装置１０および第２の情報端末装置４０へと接続可否の情報を送信する。
【００４７】
第１の情報端末装置１０の通信部１２はユーザー認証の結果である接続可否の情報を受信すると、その情報を制御部１１へと送る（ステップ１３９）。第２の情報端末装置４０から接続可との情報を受けた場合は（ステップ１４０でＹｅｓ）、制御部１１は第２の情報端末装４０から画面情報等を受信するまで第1の情報端末装置１０を待機状態とする（ステップ１４１）。
【００４８】
第２の情報端末装４０から接続不可との情報を受けた場合（ステップ１４０でＮｏ）、制御部１１は表示部１６にユーザー認証の要求を表示する指示を送り、ステップ１３１からの動作を繰り返す。ステップ１３１からの動作の繰り返しは所定の回数以内とし、その回数を超した場合は認証動作を終了する設定とすることもできる。また、ステップ１３１のユーザー認証の要求が接続不可となった後の２回目以降の実施である場合に、ユーザーに対してユーザー認証を繰り返し試みるか選択させる形とすることもできる。
【００４９】
第２の情報端末装置４０の制御部４１は第１の情報端末装置１０にユーザー認証結果を送信すると、他にユーザー認証を行う第１の情報端末装置１０があるかを確認する。他にもユーザー認証を行う第１の情報端末装置１０があるときは（ステップ１４２でＹｅｓ）、ステップ１３６からの動作が繰り返す。他にユーザー認証を行う第１の情報端末装置１０
が無いときは（ステップ１４２でＮｏ）はステップ１４３へと進む。ユーザー認証を行った第１の情報端末装置１０のうちで接続が可と判断されたものが無かったときは（ステップ１４３でＮｏ）、第２の情報端末装置４０はユーザーからの指示等があるまで待機する（ステップ１４４）。ユーザー認証を行った第１の情報端末装置のうちで接続が可と判断されたものがあったときは（ステップ１４３でＹｅｓ）、画面情報の共有を開始する（ステップ１４５）。
【００５０】
第２の情報端末装置４０が画面情報の共有を開始する段階へと移ると（ステップ１４５）、第２の情報端末措置４０のユーザーは、第１の情報端末装置１０へと送る画像を選択する（ステップ１４６）。画像の選択は、第１の実施形態と同様の方法で行われるものとする。制御部４１はユーザーにより選択された画像を記憶部４３に保存する（ステップ１４７）。記憶部４３に画像データが保存されると、制御部４１は画像処理部４４に記憶部４３に保存された画像を所定の解像度の画像に変換する指示を送る。所定の解像度は第１の情報端末装置１０の表示部１６の解像度等に応じて設定される。画像処理部４４は記憶部４３に保存された画像を所定の解像度の画像に変換する（ステップ１４８）。
【００５１】
画像処理部４４は所定の解像度の画像への変換が終わると、変換が終わった画像を記憶部４３へと保存する。画像処理部４４により所定の解像度への画像の変換が終わると、制御部４１は通信部４２に変換が終わった画像を第１の情報端末装置１０へと送る指示を送る。通信部４２は制御部４１から変換が終わった画像の送信指示を受けると、変換が終わって記憶部４３に保存されている画像を接続が可とされた第１の情報端末装置１０へと送信する（ステップ１４９）。画像の変換と第１の情報端末装置１０への送信は、第２の情報端末装置４０でユーザーにより選択され記憶部４３に保存されている画像で変換と送信が行われていない画像がなくなるまで行われる。
【００５２】
第１の情報端末装置１０は、通信部１１において第２の情報端末装置４０からの画像データを受信する（ステップ１５０）。通信部１２は画像データを受信すると、一時記憶部１４に画像データを送る。一時記憶部１４は画像データを受信すると、受信したデータを保存する（ステップ１５１）。一時記憶部１４に受信した画像データが保存されると、制御部１１は表示部１６に一時記憶部１４が保存している画像データを表示する指示を送る。表示部１６は制御部１１から画像データを表示する指示を受けると、一時記憶部１４に保存されている画像データを表示部１６に表示する（ステップ１５２）。第２の情報端末装置４０から複数のデータが送られてきている場合には、送られてきた順に画像データを表示する設定とすることができる。また、一時記憶部１４は、表示部１６に画像データを送信すると、表示部１６へ送信した画像データを消去する（ステップ１５３）。画像データが一時記憶部１４に保存されている状態で、表示部１６からの画像データの要求が無い状態が所定の時間続いた場合に、保存している画像データが消去される設定とされていることもある。
【００５３】
第１の情報端末装置１０の第２の情報端末装置４０に認証された状態は第１の情報端末装置１０または第２の情報端末装置４０のユーザーが接続の完了を選択することにより、解除される設定とすることができる。また、第２の情報端末装置４０に認証されてから一定時間を経過した場合は再度、ユーザーの認証が行われる設定としてもよい。第２の情報端末装置４０から一定時間、画像が送信されなかった場合や、操作が行われなかった場合に認証されている状態が解除される設定とすることもできる。また、第１の情報端末装置１０が一定時間、操作されなかったときに認証されている状態を解除する設定とすることもできる。一定時間の経過後等にユーザーの認証状態を解除する設定とすることにより、他人による使用やそれによる画面情報等の漏えい等に対する安全性を高めることができる。
【００５４】
本実施形態の画面情報共有システムでは、第１の実施形態と同様に生体認証である顔写真認証を用い、その認証用の認証情報およびサーバーから受信する画像データを情報端末装置に一時保存して使用した後に消去している。よって、情報端末装置に各情報を残さないため他人の使用等を防止でき安全性が高い。また、情報端末装置に合わせたデータに変換して送ることにより画像の閲覧性が高まり情報共有の利便性が向上している。本実施形態ではサーバーを用いていないため、より簡易的な構成で画面情報共有システムの構築が可能となっている。
【００５５】
本発明の第３の実施形態について図７を参照して詳細に説明する。図７は本実施形態の画面情報共有システムの構成の概要を示したものである。第１の実施形態では画像の解像度の変換を行ったが、本実施形態では画像の変換時にユーザーの環境に従った画像補正を同時に行うことにより、画像変換時の解像度の低下による画像の見易さの劣化を防いでいる。
【００５６】
本実施形態の画面情報共有システムは、第１の情報端末装置１０と、サーバー５０と、第２の情報端末装置３０とを備えている。また、第１の情報端末装置１０および第２の情報端末装置３０は通信網２００を介してサーバー２０と情報の送受信を行う。
【００５７】
第１の情報端末装置１０および第２の情報端末装置３０は第１の実施形態の同一名称の装置と同様のものを用いることができる。サーバー５０は制御部５１と、通信部５２と、記憶部５３と、画像処理部５４と、認証部５５とを備えている。
【００５８】
サーバー５０の制御部５１はサーバー５０の各部位および画面情報共有システムの全体の管理を行う機能を有する。通信部５２は通信網２００を介して第１の情報端末装置１０および第２の情報端末装置３０との情報の送受信を行う機能を有する。記憶部５３はユーザー情報のデータベースの機能を有している。記憶部５３のユーザー情報のデータベースにはユーザーのＩＤと認証用の識別情報としての顔写真データが保存されている。記憶部５３のデータベースには、ユーザーが用いる情報端末装置の情報とその情報端末装置のディスプレイの情報が紐づけられて保存されていることがある。また、記憶部５３はサーバー５０の制御用や画面情報共用システム全体の管理用のプログラムが保存されている。
【００５９】
画像処理部５４は第２の情報端末装置３０から送られてきた画像を第１の情報端末装置１０の表示部１６に適した画像に変換する機能を有する。画像処理部５４は第１の実施形態と同様の方法で解像度の変換を行う。また、画像処理部５４は第１の情報端末装置１０から送られてくる撮影データを基に、第２の情報端末装置３０から送られてくる画像の補正を行う機能を有する。
【００６０】
画像の補正は記憶部５３のデータベースに保存されている顔写真データと第１の情報端末装置１０から送信されてくる撮影データを比較し、その比較結果を補正に反映させて行う。画像処理部５４はデータベースの顔写真データと第１の情報端末装置１０からの撮影データを比較し、同一箇所の輝度を比較する。輝度の比較は、例えば、顔の頬の部分同士の比較とすることができる。このとき、データベースの顔写真より第１の情報端末装置１０の撮影データの輝度が低かった場合、第１の情報端末装置１０を使用しているユーザーは暗い場所にいると判断する。ユーザーのいる場所の明暗の判断はデータベースの顔写真の輝度で規格化し、閾値との比較で行ってもよい。ユーザーが暗い場所にいるとき、ユーザーは色度の識別力が弱まり輝度の識別力の方が高いため、画像の補正の際に輝度成分のコントラストを強める補正を行う。データベースの顔写真よりも第１の情報端末装置１０の撮影データの方の輝度が高いとき、画像処理部５４は色変換を用いた補正を行い色度のコントラストを強める補正を行う。明るい場所にいるときは、ユーザーの色別力は輝度よりも色度に対しての方が高いからである。このような、補正を行うことによりディスプレイの画面に合わせて解像度を低下させた場合であっても、ユーザーにとっての文字や絵の見易さを維持できるようになる。画像の補正方法は他の方法を用いてもよい。例えば、文字が中心の領域と画像が中心の領域とで異なる補正方法を用いてもよい。
【００６１】
サーバー５０の画像処理部２４は、第１の情報端末装置１０から通知されるディスプレイの解像度に合わせて画像の変換を実施する。サーバー５０の認証部５５は第１の情報端末装置１０や第２の情報端末装置３０を使用しているユーザーの認証を行い、サーバー５０へのアクセスの可否の判断およびアクセスに関する管理を行う。ユーザー認証は第１の実施形態と同様の方法で実施することができる。
【００６２】
本実施形態の画面情報共有システムで第２の情報端末装置３０の画面を第１の情報端末装置１０で表示し、画面情報の共有を行う際の動作について図８を用いて説明する。図８は画面情報の共有を行う際のフローの概要を示したものである。
【００６３】
ユーザー認証までの動作は第１の実施形態のステップ１０１からステップ１１５までと同一の方法で行うことができる。次に第１の実施形態のステップ１１５以降に相当する、ユーザー認証が終わって第２の情報端末装置３０の画面情報を第１の情報端末装置１０で共有する際の動作について説明する。
【００６４】
第２の情報端末装置３０が画面情報の共有を開始する段階へと移ると（ステップ１６１）、第２の情報端末措置３０のユーザーは、第１の情報端末装置１０へと送る画像を選択する（ステップ１６２）。画像の選択は第１の実施形態と同様に行うことができる。
【００６５】
第２の情報端末装置３０の制御部３１はユーザーによって選択された画像を通信部３２からサーバー５０へと送信する（ステップ１６３）。
【００６６】
サーバー５０の通信部５２は第２情報端末装置３０からの画像データを受信すると、通信部５２は記憶部５３に受信した画像データを送る（ステップ１６４）。記憶部５３は画像データを受信すると、受信したその画像データを保存する。記憶部５３に画像データが保存されると、制御部５１は画像処理部５４に記憶部５３に保存された第２の情報端末装置３０から画像を所定の解像度の画像に変換するとともに補正を実施する指示を送る。画画像処理部５４は解像度の変更と補正の実施の指示を受けると、補正方法の判断を行う（ステップ１６５）。補正方法の判断はユーザー認証に用いた撮影データとデータベースの顔写真データとの比較により行われる。補正方法の判断が終わると、画像処理部５４は記憶部５３に保存された第２の情報端末装置３０からの画像を所定の解像度の画像に変換するとともに補正を実施する（ステップ１６６）。
【００６７】
画像処理部５４は所定の解像度の画像への変換および補正が終わると、変換および補正が終わった画像を記憶部５３へと保存する。画像処理部５４により所定の解像度への画像の変換および補正が終わると、制御部５１は通信部５２に変換および補正が終わった画像を第１の情報端末装置１０へと送る指示を送る。通信部５２は制御部５１から変換および補正が終わった画像の送信指示を受けると、変換および補正が終わって記憶部５３に保存されている画像を第１の情報端末装置１０へと送信する（ステップ１６７）。サーバー５０での画像の変換および補正と第１の情報端末装置１０への送信は、第２の情報端末装置３０から受信し記憶部５３に保存されている画像で変換および補正と送信が行われていない画像がなくなるまで行われる。
【００６８】
第１の情報端末装置１０は、通信部１１においてサーバー５０で解像度の変換および補正が行われた第２の情報端末装置３０の画像データを受信する（ステップ１６８）。通信部１２は画像データを受信すると、一時記憶部１４に画像データを送る。一時記憶部１４は画像データを受信すると、受信したデータを保存する（ステップ１６９）。一時記憶部１４に受信した画像データが保存されると、制御部１１は表示部１６に一時記憶部１４が保存している画像データを表示する指示を送る。表示部１６は制御部１１から画像データを表示する指示を受けると、一時記憶部１４に保存されている画像データを表示部１６に表示する（ステップ１７０）。サーバー５０から複数のデータが送られてきている場合には、送られてきた順に画像データを表示する設定とすることができる。また、一時記憶部１４は、表示部１６に画像データを送信すると、表示部１６へ送信した画像データを消去する（ステップ１７１）。画像データが一時記憶部１４に保存されている状態で、表示部１６からの画像データの要求が無い状態が所定の時間続いた場合に、保存している画像データが消去される設定とされていることもある。第１の情報端末装置１０のユーザー認証状態の解除は第１の実施形態と同様に行うことができる。
【００６９】
本実施形態の画面情報共有システムでは、第１の実施形態と同様に生体認証である顔写真認証を用い、その認証用の認証情報およびサーバーから受信する画像データを情報端末装置に一時保存して使用した後に消去している。よって、情報端末装置に各情報を残さないため情報の漏えい等に対する安全性が高い。また、情報端末装置に合わせたデータに変換して送ることにより、情報共有の利便性が向上している。さらに、画像データの変換の際に、使用される環境に合わせた画像の補正を実施することにより、解像度の低下させる際に生じる画像の見易さの劣化を防ぐことができる。
【００７０】
本発明の第４の実施形態について図９を参照して詳細に説明する。図９は本発明の第４の実施形態の情報端末装置の構成の概要を示したものである。
【００７１】
本実施形態の情報端末装置は、認証情報取得手段６１と、記憶手段６２と、通信手段６３と、表示手段６４とを備えている。認証情報取得手段６１は生体認証に用いる認証情報を取得する。記憶手段６２は認証情報を記憶する。通信手段６３は記憶手段６２に記憶された認証情報を通信網へ送信し、通信網から画像情報を受信する。表示手段６４は画像情報を表示する。また、記憶手段６２は通信手段６３により認証情報が送信された場合に、認証情報を消去する。
【００７２】
本実施形態の情報端末装置ではユーザー認証に生体認証方式を用い、その認証用の認証情報のデータを認証のために他の装置へと送信した後に情報端末装置から消去している。情報端末装置に認証用の認証情報を残さないため他人の使用を防止することができ、画像情報の漏えい等に対する安全性が向上している。
【００７３】
上記の実施形態の一部又は全部は、以下の付記のようにも記載されうるが、以下には限られない。
【００７４】
［付記１］生体認証に用いる認証情報を取得する認証情報取得手段と、前記認証情報を記憶する記憶手段と、前記記憶手段に記憶された前記認証情報を通信網へ送信し、通信網から画像情報を受信する通信手段と、前記画像情報を表示する表示手段とを備え、前記記憶手段は前記通信手段により前記認証情報が送信された場合に、前記認証情報を消去することを特徴とする情報端末装置。
【００７５】
［付記２］前記記憶手段は前記画像情報を記憶する手段をさらに有し、前記記憶手段は前記表示部に前記画像情報を表示した場合に、前記画像情報を消去することを特徴とする付記１に記載の情報端末装置。
【００７６】
［付記３］他の情報端末装置から前記他の情報端末装置のユーザーの生体認証に用いる認証情報を受信する通信手段と、前記ユーザーの生体認証に用いる前記ユーザーの識別情報を記憶する記憶手段と、前記認証情報と前記識別情報とを比較して前記ユーザーとの通信可否の判断を行う認証手段と、所定の画像を前記ユーザーの情報端末装置用の画像として変換し変換画像を生成する画像変換手段とを備え、前記通信手段は、前記認証手段で前記ユーザーとの通信が可と判断された場合に、前記ユーザーの情報端末装置に前記変換画像を画像情報として送信することを特徴とする情報端末装置。
【００７７】
［付記４］前記通信手段は前記ユーザー以外の情報端末装置から前記所定の画像を受信する手段をさらに有し、前記通信手段により受信された前記所定の画像が前記画像変換手段により変換されて前記変換画像が生成されることを特徴とする付記３に記載の情報端末装置。
【００７８】
［付記５］前記通信手段で受信する前記ユーザーの前記認証情報を基に、前記所定の画像の補正方法を判断する補正判断手段をさらに備え、前記画像変換手段は前記所定の画像を前記ユーザーの情報端末装置用の画像として変換する際に、前記変換とともに前記補正方法に基づいた前記所定の画像の補正を行い変換画像を生成することを特徴とする付記３または４いずれかに記載の情報端末装置。
【００７９】
［付記６］付記１または２いずれかに記載の情報端末装置からなる端末装置と、付記３から５いずれかに記載の情報端末装置とからなる情報供給装置とを備え、通信網を介して、前記端末装置から前記情報供給装置へ認証情報が提供され、前記情報供給装置から前記端末装置へ画像情報が提供されることを特徴とする画面情報共有システム。
【００８０】
［付記７］情報端末装置が前記情報端末装置のユーザーの生体認証に用いる認証情報を取得し、前記認証情報を記憶し、前記認証情報を通信網へ送信し、前記認証情報を送信した後に前記情報端末装置に記憶している前記認証情報を消去し、通信網から画像情報を受信し、前記画像情報を表示することを特徴とする画面情報の共有方法。
【００８１】
［付記８］通信網から受信した前記画像情報を記憶し、前記画像情報を表示した後に前記画像情報を消去することを特徴とする付記７に記載の画面情報の共有方法。
【００８２】
［付記９］他の情報端末装置から前記他の情報端末装置のユーザーの生体認証に用いる認証情報を受信し、前記認証情報とあらかじめ記憶された識別情報とを比較して前記ユーザーとの通信可否を判断し、前記ユーザーとの通信が可と判断した場合に、所定の画像を前記ユーザーの情報端末装置用の画像として変換して変換画像を生成し、前記ユーザーの情報端末装置に前記変換画像を画像情報として送信することを特徴とする画面情報の共有方法。
【００８３】
［付記１０］前記所定の画像を前記ユーザー以外の情報端末装置から受信し、変換画像を生成することを特徴とする請求項９に記載の画面情報の共有方法。
【００８４】
［付記１１］前記認証情報を基に、前記所定の画像の補正方法を判断し、前記所定の画像を前記第１の情報端末装置用の画像として変換する際に、前記変換とともに前記補正方法に基づいて前記所定の画像の補正を行い変換画像を生成することを特徴とする付記９または１０いずれかに記載の情報端末装置。
【００８５】
［付記１２］第１の情報端末装置において生体認証に用いる認証情報を取得し、前記第１の情報端末装置は第２の情報端末装置へと前記認証情報を送信し、前記第１の情報端末装置は送信後に前記認証情報を消去し、前記第２の情報端末装置は前記認証情報を受信し、前記情報装置は前記認証情報とあらかじめ記憶された前記第１の情報端末装置のユーザーの生体認証に用いる識別情報とを比較して前記ユーザーとの通信可否を判断し、前記第２の情報端末装置は前記第１の情報端末装置のユーザーと通信可能と判断した場合に、所定の画像を前記第１の情報端末装置用の画像として変換して変換画像を生成し、前記第２の情報端末装置は前記第１の情報端末装置に前記変換画像を画像情報として送信し、前記第１の情報端末装置は前記画像情報を受信して表示すること特徴とする画面情報の共有方法。
【００８６】
［付記１３］前記所定の画像を前記第１の情報端末装置以外の情報端末装置から受信することを特徴とする付記１２に記載の画面情報の共有方法。
【００８７】
［付記１４］前記変換画像を生成するときに、前記第２の情報端末装置は前記第１の情報端末措置から受信した前記認証情報を基に画像の補正方法を判断し、前記所定の画像に前記補正方法による補正を加えることを特徴とする付記１２または１３にいずれかに記載の画面情報の共有方法。
【産業上の利用可能性】
【００８８】
本発明は、画面情報の共有システムに関するものであり、特に無線通信を用いた情報端末装置等で画面情報を共有する情報システムに利用することができる。
【符号の説明】
【００８９】
１０    第1の情報端末装置
１１    制御部
１２    通信部
１３    記憶部
１４    一時記憶部
１５    操作部
１６    表示部
１７    撮影部
２０    サーバー
２１    制御部
２２    通信部
２３    記憶部
２４    画像処理部
２５    認証部
３０    第２の情報端末装置
３１    制御部
３２    通信部
３３    記憶部
３４    操作部
３５    表示部
４０    第２の情報端末装置
４１    制御部
４２    通信部
４３    記憶部
４４    画像処理部
４５    認証部
４６    操作部
４７    表示部
５０    サーバー
５１    制御部
５２    通信部
５３    記憶部
５４    画像処理部
５５    認証部
６１    認証情報取得手段
６２    記憶手段
６３    通信手段
６４    表示手段
１０１−１２４    画像共有の各ステップ
１３１−１５３    画像共有の各ステップ
１６１−１７１    画像共有の各ステップ
【図１】
2014059753.tif 000003
【図２】
2014059753.tif 000004
【図３】
2014059753.tif 000005
【図４】
2014059753.tif 000006
【図５】
2014059753.tif 000007
【図６】
2014059753.tif 000008
【図７】
2014059753.tif 000009
【図８】
2014059753.tif 000010
【図９】
2014059753.tif 000011